(57)【要約】  【課題】  廃材がドラム内壁や羽根に付着堆積するのを極力阻止できるアスファルト舗装廃材再生用ドライヤを提供する。  【解決手段】  バーナ６は燃焼室を介さずにドラム２の一端に配設してドラム２内にバーナ火炎を形成させると共に、少なくとも前記バーナ火炎が形成される範囲（Ａゾーン）のドラム内は掻き上げ羽根を有しない領域とし、この領域のドラム内周壁に耐熱用のライナー材９を周設する。また、前記領域境界のドラム内周壁には廃材の流れを一部堰き止める堰き止め体１３を周設する一方、それより下流側のドラム内周壁には複数の掻き上げ羽根１０を周設する。そして、ドラム２に投入された廃材を堰き止め体１３にて堰き止めて滞留させながら予熱した後、下流の掻き上げ羽根１０にて掻き上げながら転動流下させる間に所定温度まで加熱する。【選択図】  図１
2010053608.tif 000002
【特許請求の範囲】
【請求項１】
円筒状のドラムを回転自在に傾斜支持し、該ドラム内に熱風と廃材を同一方向に流して廃材を加熱再生するアスファルト舗装廃材再生用ドライヤにおいて、熱風供給用のバーナは燃焼室を介さずにドラム一端に配設してドラム内にバーナ火炎を形成させて廃材を直接加熱する構成とすると共に、少なくとも前記バーナ火炎が形成される範囲のドラム内は掻き上げ羽根を有しない領域とし、該領域のドラム内周壁には耐熱用のドラム保護体を周設する一方、それより下流側のドラム内周壁には複数の掻き上げ羽根を周設したことを特徴とするアスファルト舗装廃材再生用ドライヤ。
【請求項２】
円筒状のドラムを回転自在に傾斜支持し、該ドラム内に熱風と廃材を同一方向に流して廃材を加熱再生するアスファルト舗装廃材再生用ドライヤにおいて、熱風供給用のバーナは燃焼室を介さずにドラム一端に配設してドラム内にバーナ火炎を形成させて廃材を直接加熱する構成とすると共に、少なくとも前記バーナ火炎が形成される範囲のドラム内は掻き上げ羽根を有しない領域とし、この領域境界のドラム内周壁には廃材の流れを一部堰き止めて滞留させる堰き止め体を周設する一方、それより下流側のドラム内周壁には複数の掻き上げ羽根を周設したことを特徴とするアスファルト舗装廃材再生用ドライヤ。
【請求項３】
請求項２に記載のアスファルト舗装廃材再生用ドライヤにおいて、掻き上げ羽根を有しない領域のドラム内周壁に、耐熱用のドラム保護体を周設したことを特徴とするアスファルト舗装廃材再生用ドライヤ。
【請求項４】
請求項１乃至３のいずれかに記載のアスファルト舗装廃材再生用ドライヤにおいて、ドラム下流の煙道に排ガスの一部をドラム内に循環させる循環煙道を連結すると共に、該循環煙道の他端部をドラム端のバーナよりも下位側に連結し、循環させる排ガスをバーナの火炎とドラム内を流下する廃材との間に吹き込むようにしたことを特徴とするアスファルト舗装廃材再生用ドライヤ。
【請求項５】
請求項１乃至４のいずれかに記載のアスファルト舗装廃材再生用ドライヤにおいて、掻き上げ羽根は、ドラム内周壁との間に隙間を持たせて取り付けた円筒体としたことを特徴とするアスファルト舗装廃材再生用ドライヤ。
【発明の詳細な説明】
【技術分野】
【０００１】
本発明は、道路舗装廃材を加熱再生するアスファルト舗装廃材再生用ドライヤに関する。
【背景技術】
【０００２】
道路工事等によって掘り起こされたアスファルト舗装廃材（以下「廃材」という）の加熱再生には、特許文献１（特開平９−５９９１３号公報）に示されるような、アスファルト舗装廃材再生用ドライヤが利用される。この再生用ドライヤは、回転自在に傾斜支持した円筒状のドラムを備え、廃材投入側であるドラム前端部には所定長さを有する燃焼室を介してバーナを配設すると共に、ドラム内周壁のほぼ全域に廃材掻き上げ用の掻き上げ羽根を周設しており、ドラム内に投入される廃材を前記掻き上げ羽根によって掻き上げながら転動流下させる間に、バーナより送り込まれる熱風と接触させて所定温度まで加熱することで廃材の再生を行っている。
【０００３】
このように、従来のアスファルト舗装廃材再生用ドライヤは、ドラムとバーナの間に燃焼室を備え、かつドラム内周壁の全域に掻き上げ羽根を周設するのが主流であって、燃焼室内にバーナ火炎を形成しながら所定温度の熱風をドラム内に供給して廃材を加熱しすぎないようにすることで、廃材中のアスファルト分の熱劣化を極力阻止するように配慮されている。
【０００４】
ところで、廃材加熱時に問題となっているのが、廃材中のアスファルト分が溶融して粘着性を帯び、ドラム内壁や羽根に付着堆積することである。特に、ドラムの廃材投入部付近が最も付着しやすい温度領域となり、この部分に多くの廃材が付着堆積する。また粒度の細かい廃材はアスファルト分を多く含むため、この廃材の加熱再生時には、ドラムの投入部付近の廃材付着は激しく、またドラム後半部の羽根への付着も多くなる。ドラム内壁や羽根への付着が多くなると、羽根の掻き上げ機能が損なわれることとなり、また付着物の塊が剥がれて製品中に混入すれば製品の品質に悪影響を及ぼすことにもなる。
【０００５】
このようなドラム内壁や羽根への廃材付着防止策として、本出願人は、特許文献２（特開２００６−４５８４５号公報）に示されるようなアスファルト舗装廃材再生用ドライヤを提案している。この再生用ドライヤは、従来必須であった燃焼室を省略し、ドラム内に内筒を装着して内筒内にバーナ火炎を形成すると共に、バーナ火炎が形成される範囲は掻き上げ羽根を有しない構成とし、投入した廃材をバーナからの熱風と内筒周面からの輻射熱とによって加熱することにより、加熱効率を上げて省エネを図りつつ、廃材への熱吸収を早めて廃材のドラム内壁への付着防止を図るようにしている。
【特許文献１】特開平９−５９９１３号公報
【特許文献２】特開２００６−４５８４５号公報
【発明の開示】
【発明が解決しようとする課題】
【０００６】
しかしながら、上記再生用ドライヤは、付着防止効果が向上したものの、ドラムの内壁や羽根に廃材が付着堆積することを完全には避けることができず、より少しでも付着防止効果が期待できる再生用ドライヤが絶えず要望されているのが現状である。
【０００７】
本発明は上記の点に鑑み、廃材がドラム内壁や羽根に付着堆積するのを極力阻止できるアスファルト舗装廃材再生用ドライヤを提供することを課題とする。
【課題を解決するための手段】
【０００８】
ところで、本出願人が提案した前記再生用ドライヤの実機運転の結果、従来必須としていた燃焼室をなくしてドラム内にバーナ火炎を形成し（火炎を覆う内筒はあるものの）、高温雰囲気に廃材を晒しても廃材はさほど熱劣化せず、品質は十分確保できることが確認されている。また、ドラム内を直火の高温雰囲気とすると、従来よりもドラム内の廃材付着が減少する傾向にあることも確認された。ドラム内を高温雰囲気にすると廃材の付着が少なくなるのは、あえて理由付けはしないが廃材中のアスファルト分が何らかの影響を受けた結果であり、例えば、ドライヤから排出される排ガス温度を２００℃から２５０℃に上げるだけで煙道内壁への廃材付着量が少なくなるという事実とも一致する。また、火炎を覆う内筒は高温に晒されて変形することも確認された。この実機運転の結果を踏まえ、本発明者らは、更に改良を加えることで、ドラム内への廃材付着を一層阻止できると考え、本発明に至った。
【０００９】
即ち、上記の課題を解決するために、本発明に係る請求項１記載のアスファルト舗装廃材再生用ドライヤでは、円筒状のドラムを回転自在に傾斜支持し、該ドラム内に熱風と廃材を同一方向に流して廃材を加熱再生するアスファルト舗装廃材再生用ドライヤにおいて、熱風供給用のバーナは燃焼室を介さずにドラム一端に配設してドラム内にバーナ火炎を形成させて廃材を直接加熱する構成とすると共に、少なくとも前記バーナ火炎が形成される範囲のドラム内は掻き上げ羽根を有しない領域とし、該領域のドラム内周壁には耐熱用のドラム保護体を周設する一方、それより下流側のドラム内周壁には複数の掻き上げ羽根を周設したことを特徴としている。
【００１０】
また、請求項２記載のアスファルト舗装廃材再生用ドライヤでは、円筒状のドラムを回転自在に傾斜支持し、該ドラム内に熱風と廃材を同一方向に流して廃材を加熱再生するアスファルト舗装廃材再生用ドライヤにおいて、熱風供給用のバーナは燃焼室を介さずにドラム一端に配設してドラム内にバーナ火炎を形成させて廃材を直接加熱する構成とすると共に、少なくとも前記バーナ火炎が形成される範囲のドラム内は掻き上げ羽根を有しない領域とし、この領域境界のドラム内周壁には廃材の流れを一部堰き止めて滞留させる堰き止め体を周設する一方、それより下流側のドラム内周壁には複数の掻き上げ羽根を周設したことを特徴としている。
【００１１】
また、請求項３記載のアスファルト舗装廃材再生用ドライヤでは、請求項２に記載のアスファルト舗装廃材再生用ドライヤにおいて、掻き上げ羽根を有しない領域のドラム内周壁に、耐熱用のドラム保護体を周設したことを特徴としている。
【００１２】
また、請求項４記載のアスファルト舗装廃材再生用ドライヤでは、ドラム下流の煙道に排ガスの一部をドラム内に循環させる循環煙道を連結すると共に、該循環煙道の他端部をドラム端のバーナよりも下位側に連結し、循環させる排ガスをバーナの火炎とドラム内を流下する廃材との間に吹き込むようにしたことを特徴としている。
【００１３】
また、請求項５記載のアスファルト舗装廃材再生用ドライヤでは、掻き上げ羽根は、ドラム内周壁との間に隙間を持たせて取り付けた円筒体としたことを特徴としている。
【発明の効果】
【００１４】
本発明に係る請求項１記載のアスファルト舗装廃材再生用ドライヤによれば、熱風供給用のバーナは燃焼室を介さずにドラム一端に配設してドラム内にバーナ火炎を形成させて廃材を直接加熱する構成とすると共に、少なくとも前記バーナ火炎が形成される範囲のドラム内は掻き上げ羽根を有しない領域とし、該領域のドラム内周壁には耐熱用のドラム保護体を周設する一方、それより下流側のドラム内周壁には複数の掻き上げ羽根を周設したので、廃材をバーナ火炎の高熱に直接晒して廃材の熱吸収を早め、廃材中のアスファルト分の付着・粘着力を高めないようすることで、ドラム内壁への廃材付着を抑制できる。また、耐熱用のドラム保護体によってバーナ火炎の高熱によるドラム損傷を極力阻止できると共に、放散熱を少なくして加熱効率の向上も図れる。
【００１５】
また、本発明に係る請求項２記載のアスファルト舗装廃材再生用ドライヤによれば、熱風供給用のバーナは燃焼室を介さずにドラム一端に配設してドラム内にバーナ火炎を形成させて廃材を直接加熱する構成とすると共に、少なくとも前記バーナ火炎が形成される範囲のドラム内は掻き上げ羽根を有しない領域とし、この領域境界のドラム内周壁には廃材の流れを一部堰き止めて滞留させる堰き止め体を周設する一方、それより下流側のドラム内周壁には複数の掻き上げ羽根を周設したので、廃材をバーナ火炎の高熱に直接晒して廃材の熱吸収を早めてアスファルト分の付着・粘着力を高めないようすることで、ドラム内壁への廃材付着を抑制できる。また、堰き止め体にて廃材を堰き止めて滞留させたので、廃材の滞留時間を長くでき、掻き上げ羽根のない領域でも廃材を効果的に予熱できると共に、滞留する廃材の層厚によってドラム内周面が擦られて廃材付着物を掻き取る現象が生じ、ドラム内壁への廃材付着を一層抑制できる。
【００１６】
また、本発明に係る請求項３記載のアスファルト舗装廃材再生用ドライヤによれば、請求項２に記載のアスファルト舗装廃材再生用ドライヤにおいて、掻き上げ羽根を有しない領域のドラム内周壁に、耐熱用のドラム保護体を周設したので、堰き止め体にて滞留する廃材の層厚によって擦られてもドラム保護体がドラムを保護してドラム自体の磨耗を防止できる。また、耐熱用のドラム保護体によってバーナ火炎の高熱によるドラム損傷を極力阻止できると共に、放散熱を少なくして加熱効率の向上も図れる。
【００１７】
また、本発明に係る請求項４記載のアスファルト舗装廃材再生用ドライヤによれば、ドラム下流の煙道に排ガスの一部をドラム内に循環させる循環煙道を連結すると共に、該循環煙道の他端部をドラム端のバーナよりも下位側に連結し、循環させる排ガスをバーナの火炎とドラム内を流下する廃材との間に吹き込むようにしたので、廃材の過熱を極力抑えることも可能で、廃材の熱劣化が懸念されるときには有効となる。
【００１８】
また、本発明に係る請求項５記載のアスファルト舗装廃材再生用ドライヤによれば、掻き上げ羽根は、ドラム内周壁との間に隙間を持たせて取り付けた円筒体としたので、廃材の羽根への付着が生じにくく、また例え付着が生じても簡単に剥がれ落ちやすく、廃材の付着成長を極力抑えることができる。また、付着物の剥離作業も円筒体であるために容易にでき、剥離作業者の負担も軽減できる。
【発明を実施するための最良の形態】
【００１９】
本発明のアスファルト舗装廃材再生用ドライヤにあっては、回転自在に傾斜支持したドラム内に熱風と廃材を同一方向に流す並流加熱方式のドライヤを採用する。熱風供給用のバーナは燃焼室を介さずにドラム一端に配設してドラム内にバーナ火炎を形成させるようにする。また、少なくとも前記バーナ火炎が形成される範囲のドラム内は掻き上げ羽根を有しない領域とし、該領域のドラム内周壁には耐熱用のドラム保護体、例えば鋼製のライナー材を内張りする。
【００２０】
掻き上げ羽根を有しない領域境界のドラム内周壁には、廃材の流れを一部堰き止めて滞留させる堰き止め体を周設する。また、堰き止め体の下流側のドラム内周壁には、内周壁との間に若干の隙間を持たせて取り付けた円筒体から成る掻き上げ羽根を複数周設する。
【００２１】
そして、前記アスファルト舗装廃材再生用ドライヤを稼働させてドラム内に廃材を投入すると、投入された廃材は、掻き上げ羽根のない領域ではドラム傾斜に沿って下流へと滑るように流下していき、その一部は堰き止め体にて堰き止められて滞留し、所定高さの層厚を形成しつつ適宜温度まで予熱される。このとき、廃材はドラム内に形成されるバーナ火炎に直接触れることはないものの、バーナ火炎の高熱に直接晒され、アスファルト分の付着・粘着力を抑えられる上、ドラムの回転に伴って、滞留する廃材の層厚によってドラム保護体の内周壁面が擦られることとなって付着物は掻き取られる。
【００２２】
そして、廃材が堰き止め体を越えてドラム後端側へと到達すると、廃材は掻き上げ羽根によって掻き上げられながらドラム下流へと転動流下していき、その間、バーナからの熱風に晒されて所望温度まで加熱される。このとき、ドラム内は高温雰囲気に維持されるので廃材の付着は少なく、また、掻き上げ羽根にはドラム内周壁と隙間を持たせて取り付けた円筒体を採用しているので、廃材は掻き上げ羽根上に長く静止することがなく次々と滑り落ちていき、廃材の羽根への付着を極力阻止できる。
【００２３】
このように、再生用ドライヤのドラム内部にバーナ火炎を形成して廃材を直接加熱するようにしたので、従来、付着の生じやすかったドラム投入直後の廃材、特にアスファルト分を多く含む微粒分を一気に加熱昇温できて付着・粘着力を低く抑えることができ、ドラム内壁への付着成長を効果的に阻止できる。
【００２４】
また、耐熱用のドラム保護体によってバーナ火炎の高熱によるドラム損傷を極力阻止できると共に、放散熱を少なくして加熱効率の向上も図れる。更に、堰き止め体によってドラム投入直後の廃材を堰き止めて暫く滞留させることで、滞留時間を長くして効果的に予熱できると共に、滞留する廃材の層厚によってドラム内壁が擦られて廃材付着物を掻き取る現象が生じ、より効果的に廃材の付着成長を抑えることができる。なお、この廃材の滞留によって、廃材中の微粒分同士が付着し合って適度に粒度が増し、ドラム後端側の内壁や羽根への付着低減も期待できる。
【００２５】
なお、ドラム内のバーナ火炎による廃材の熱劣化が懸念されるときには、ドラム下流の煙道に連結した排ガス循環用の循環煙道の他端部をドラム端のバーナよりも下位側に連結し、循環させた比較的低温の排ガスをバーナ火炎とドラム内を流下する廃材の間に吹き込むようにすることで、バーナ火炎の高熱に晒される廃材を保護して過熱が抑えられ、熱劣化を阻止することも可能である。
【実施例】
【００２６】
以下、本発明の実施例を図面に基づいて説明する。
【００２７】
図中の１は廃材を加熱再生するアスファルト舗装廃材再生用ドライヤであって、円筒状のドラム２を機台３上の支持ローラ４によって回転自在に傾斜支持し、駆動装置（図示せず）により所定速度で回転駆動させている。ドラム２前端部には、廃材投入用のベルトコンベヤ５を備えると共に、従来の再生用ドライヤが備えているような燃焼室を介さずに、熱風供給用のバーナ６を直接配設し、該バーナ６の先端部をドラム２内に臨ませ、ドラム２内部に所定長さのバーナ火炎を形成し、廃材を直接加熱するようにしている。
【００２８】
７はトロンメルであって、所定メッシュサイズを有した金網やパンチングメタルを円筒状に形成してドラム２後端部に連結しており、ドラム２より払い出される廃材を前記トロンメル７に送り込んで、オーバーサイズのものを振り分けてシュート８より排出させる。
【００２９】
また、少なくともバーナ火炎が形成される範囲（Ａゾーン）、例えばドラム２前端部からドラム長さの約１／５〜１／３程度の範囲は、ドラム２内に掻き上げ羽根を有しない領域としている。なお、ドラム２前端部からの廃材のこぼれ防止のために、掻き上げ効果のない逆止羽根を取り付けても良い。
【００３０】
前記Ａゾーンには、耐熱用のドラム保護体である鋼製のライナー材９を一面に内張りしている。前記ライナー材９は、略方形の板材であり、図３に示すように、その一辺を若干折曲して基端部としてドラム内周壁とボルト固定している一方、対辺である遊端部はドラム内周壁と固定せずに隣接するライナー材９の上位へ重ね合わせて、ライナー材９とドラム内周壁との間に若干の空隙を生じさせ、断熱効果を高めてバーナ火炎の高熱からドラム２を保護するようにしている。なお、前記ライナー材９に代えて、例えばドラム２内周壁を二重構造として断熱用の空気層を形成させたり、その空気槽内に断熱材を封入させても良い。
【００３１】
前記ライナー材９よりも下流側のドラム２後端側（Ｂゾーン）の内周壁には、廃材を掻き上げる掻き上げ羽根１０を複数周設している。前記掻き上げ羽根１０としては、円筒体にて形成したものが好ましく、例えば、１００〜１５０ｍｍ径の二本の適宜長さの円筒体１１を５０ｍｍ程度の隙間を設けて平行に配し、かつドラム内周壁とも５０ｍｍ程度の隙間を持たせて支持片１２にて固定したもので良く、適度な隙間を持たせることで廃材を掻き上げ可能としつつ、廃材が極力付着堆積しないように図っている。
【００３２】
また、掻き上げ羽根のない範囲（Ａゾーン）と、掻き上げ羽根１０を周設した範囲（Ｂゾーン）との境目のドラム内周壁には、廃材の流れを一部堰き止めて滞留させる堰き止め体１３を周設している。前記堰き止め体１３は、ドラム内周壁に沿ったリング形状として、その高さは約２００ｍｍ程度とすると共に、適宜長さ間隔で約２００〜３００ｍｍ程度の隙間を設けて分割構成しており、廃材投入終了時に滞留する廃材がその隙間からドラム下流（Ｂゾーン）へと流れてドラム２内に廃材が残留することのないように図っている。
【００３３】
なお、本実施例においては、堰き止め体１３はリング形状で隙間を形成したものとしたが、何らこれに限定するものではなく、ドラム２内に投入した廃材の流れを一部堰き止めて滞留させるものであれば良く、本発明の要旨を逸脱しない範囲内において種々変更を加え得ることは勿論である。
【００３４】
１４はドラム２から排出される排ガスを下流の図示しない集塵機、排風機、及び煙突へと導く煙道であって、該煙道１４の途中には排ガスの一部をドラム２へ循環させる循環煙道１５の一端部を連結していると共に、該循環煙道１５の途中には排風機１６を介し、その他端部をドラム２前端部のバーナ６よりも下位側に連結しており、循環煙道１５から循環させた比較的低温の排ガスを、図１中の矢印で示すように、バーナ６の火炎とドラム底部を流下する廃材との間に吹き込むようにしている。これによって、ドラム２内の廃材をバーナ火炎の高熱から保護し、過熱を抑えて熱劣化にも対応できるように配慮している。
【００３５】
そして、上記アスファルト舗装廃材再生用ドライヤ１を稼働させてドラム２内に廃材を投入すると、投入された廃材は掻き上げ羽根を有しない領域（Ａゾーン）では、ドラム底部を滑るように流下していき、その一部は堰き止め体１３にて堰き止められて滞留し、約２００ｍｍ程度の層厚を形成しつつ適宜温度まで予熱される。このとき、廃材は、バーナ火炎の高熱に晒されて急激に加熱されることによって付着・粘着力がさほど高まることなく、また、ドラム２の回転に伴って、滞留する廃材の層厚によってライナー材９表面が繰り返し擦られることでドラム内壁への付着堆積は極力阻止される。
【００３６】
そして、廃材が堰き止め体１３を越えてドラム２後端側（Ｂゾーン）へと到達すると、廃材は掻き上げ羽根１０によって掻き上げられながらドラム下流へと転動流下していき、その間、バーナ６からの熱風に晒されて所望温度まで加熱される。このとき、掻き上げ羽根１０にはドラム２内周壁と適当な隙間を持たせて取り付けた円筒体１１を採用しているため、廃材は滑り落ち易く、羽根への付着堆積を極力少なくできる。
【００３７】
このように、従来備えていた燃焼室や内筒をなくし、バーナ６の火炎をドラム２内に形成させてドラム２内を高温雰囲気に維持し、少なくとも前記バーナ火炎が形成される範囲のドラム２内は掻き上げ羽根をなくしたので、廃材をバーナ火炎の高熱に直接晒して廃材、特に廃材微粒分の熱吸収を早めてアスファルト分の付着・粘着力を低く抑えることで、ドラム内壁への廃材の付着堆積が極力抑制される。また、ドラム内周壁に耐熱用のドラム保護体であるライナー材９を周設することで、バーナ火炎の高熱によるドラム損傷を極力阻止でき、また放散熱も少なくなって加熱効率の向上も期待できる。
【００３８】
また、バーナ火炎が形成される領域（Ａゾーン）の後端部のドラム２内周壁に堰き止め体１３を周設し、ドラム２への投入直後の廃材を堰き止めて滞留させるので、掻き上げ羽根がなくとも廃材の滞留時間を長くすることで、廃材を効果的に予熱できると共に、滞留させる廃材の層厚によってドラム２の内壁が擦られて付着物が掻き取られ、廃材の付着成長を抑制できる。また、ドラム２後端側（Ｂゾーン）の掻き上げ羽根１０を、ドラム２内周壁との間に隙間を持たせて取り付けた円筒体１１にて構成したので、廃材の付着が生じにくく、また付着が生じても簡単に剥がれ落ちやすい。また、付着物の剥離作業も円筒体であるために容易にできる。
【００３９】
また、比較的低温となった排ガスの一部を循環煙道１５にてドラム２前端部に循環させ、バーナ６の火炎とドラム２内を流下する廃材との間に吹き込むことで、廃材表面を保護して過熱を抑え、熱劣化を阻止することも可能である。
【図面の簡単な説明】
【００４０】
【図１】本発明に係るアスファルト舗装廃材再生用ドライヤの一実施例を示す一部切り欠き概略構成図である。
【図２】図１の一部省略Ｘ−Ｘ線拡大矢視図である。
【図３】図２の要部拡大図である。
【図４】図１の一部省略Ｙ−Ｙ線拡大矢視図である。
【図５】図１の一部省略Ｚ−Ｚ線拡大矢視図である。
【符号の説明】
【００４１】
１…アスファルト舗装廃材再生用ドライヤ
２…ドラム                            ６…バーナ
９…ライナー材（ドラム保護体）      １０…掻き上げ羽根
１１…円筒体                          １３…堰き止め体
１５…循環煙道
【図１】
2010053608.tif 000003
【図２】
2010053608.tif 000004
【図３】
2010053608.tif 000005
【図４】
2010053608.tif 000006
【図５】
2010053608.tif 000007